(57)【要約】      （修正有）【課題】手軽でリアルタイムに特定の場所における混み具合を知ることを可能にする。【解決手段】特定場所混雑情報提供システムに、GPS機能付き携帯電話機102の音声発呼時、音声着呼時、メール送信時、メール受信時、インターネット接続時の上り信号に電話番号情報及び位置情報を付加する電話番号情報・位置情報付加部102Aと、基地局101でGPS機能付き携帯電話機からの上り信号を識別し電話番号情報及び位置情報を抽出する電話番号情報・位置情報抽出部101Aと、指定された位置情報に属する位置範囲を特定の場所名に変換する場所名・位置範囲変換部105と、混雑情報要求のあった特定の場所名に対してGPS機能付き携帯電話機の対象数を基に混雑度レベルの指標を算出する混雑度指標算出部106と、特定の場所を指定して混雑情報要求があると特定の場所名と混雑度レベルの指標を提示する特定場所情報提供部105とを備える。【選択図】図１
2006157502.tif 000002
【特許請求の範囲】
【請求項１】
特定の場所の混み具合の情報を提供する特定場所混雑情報提供システムにおいて、
ＧＰＳ機能付き携帯電話機の音声発呼時、音声着呼時、メール送信時、メール受信時、インターネット接続時の上り信号に電話番号情報及び位置情報を付加する電話番号情報・位置情報付加部と、
前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する電話番号情報・位置情報抽出部と、
複数の特定の場所名に対して経度、緯度で示される位置範囲をそれぞれ保持し、指定された位置情報に属する位置範囲を特定の場所名に変換する場所名・位置範囲変換部と、
複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出する混雑度指標算出部と、
前記電話番号情報・位置情報抽出部が電話番号情報及び位置情報を抽出するのを監視し、抽出した電話番号情報及び位置情報を、抽出した日付時刻情報と共に取得し保持し、取得した位置情報を前記場所名・位置範囲変換部を介して変換させて特定の場所名を保持し、ＧＰＳ機能付き携帯電話機から特定の場所名を指定して混雑情報要求があると特定の場所名の位置範囲に存在するＧＰＳ機能付き携帯電話機の対象数を算出し、特定の場所名と算出した対象数を基に、前記混雑度指標算出部を介して、混雑度レベルの指標を取得し前記ＧＰＳ機能付き携帯電話機に提示する特定場所情報提供部とを備えることを特徴とする特定場所混雑情報提供システム。
【請求項２】
前記電話番号情報・位置情報付加部は、前記ＧＰＳ機能付き携帯電話機がＰＤＣ方式である場合には音声発呼時にＳＥＴＵＰ信号、ＣＯＮＮＥＣＴＡＣＫ信号の上り信号に電話番号情報及び位置情報を付加し、音声着呼時にＡＬＥＲＴ信号、ＣＯＮＮＥＣＴ信号の上り信号に電話番号情報及び位置情報を付加し、メール送信時にメールヘッダの上り信号に電話番号情報及び位置情報を付加し、メール受信時にメール転送の要求信号の上り信号に電話番号情報及び位置情報を付加し、インターネット接続時にアクセスポイントの電話番号の信号の上り信号に電話番号情報及び位置情報を付加することを特徴とする、請求項１に記載の特定場所混雑情報提供システム。
【請求項３】
前記特定場所提供部は、前記混雑度レベルの指標と共に、収容人数、ＧＰＳ機能付き携帯電話機の対象数を提示することを特徴とする、請求項１に記載の特定場所混雑情報提供システム。
【請求項４】
前記特定場所情報提供部は、ＧＰＳ機能を備えない携帯電話機に対して、特定の場所を指定して混雑情報要求があった場合混雑情報レベルの提示を行うことを特徴とする、請求項１に記載の特定場所混雑情報提供システム。
【請求項５】
前記特定場所情報提供部は、特定の場所名を指定した混雑情報要求に対して対象数の算出を行う場合、取得した位置情報が特定の場所名の位置範囲に属するようになった場合には特定の場所名と共に、特定の場所名の位置範囲での最初の更新日付時刻情報を保持し、特定の場所に対して混雑情報要求があった日付時刻よりも一定時間前の最初の更新日付時刻が保持されている場合最初の更新日付時刻が混雑情報要求があった日付時刻よりも一定時間前である対象を外して特定の場所名の位置範囲に存在する対象数を算出することを特徴とする、請求項１に記載の特定場所混雑情報提供システム。
【請求項６】
前記混雑度指標算出部は特定の場所名毎に入場者が平均的に滞在する平均時間を保持し、前記特定場所情報提供部は、特定の場所名を指定した混雑情報要求に対して対象数の算出を行う場合、前記混雑度指標算出部から滞在時間を取得し、前記一定時間前を取得した前記滞在時間前とすることを特徴とする、請求項５に記載の特定場所混雑情報提供システム。
【請求項７】
前記電話番号情報・位置情報付加部は、ＧＰＳ機能付き携帯電話機の音声発呼時、音声着呼時、メール送信時、メール受信時、インターネット接続時に加え、待ち受け時の位置登録時の上り信号に電話番号情報及び位置情報を付加し、
前記電話番号情報・位置情報抽出部は、前記携帯電話機と無線回線で接続した基地局で前記携帯電話機からの上り信号が音声発呼時、音声着呼時、メール送信時、メール受信時、インターネット接続時に加え、待ち受け時の位置登録時の上り信号を識別し抽出することを特徴とする、請求項１に記載の特定場所混雑情報提供システム。
【請求項８】
前記特定場所情報提供部は、混雑度レベルの指標を前記ＧＰＳ機能付き携帯電話機に提示する際に課金を行うことを特徴とする、請求項１に記載の特定場所混雑情報提供システム。
【請求項９】
特定の場所の混み具合の情報を提供するサーバーにおいて、
複数の特定の場所名に対して経度、緯度で示される位置範囲をそれぞれ保持し、指定された位置情報に属する位置範囲を特定の場所名に変換する場所名・位置範囲変換サーバーと、
複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出する混雑度指標サーバーと、
前記ＧＰＳ機能付き携帯電話機の音声発呼時、音声着呼時、メール送信時、メール受信時、インターネット接続時の上り信号に電話番号情報及び位置情報が付加され、前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることが識別され電話番号情報及び位置情報が抽出されるのを監視し、抽出した電話番号情報及び位置情報を、抽出した日付時刻情報と共に取得し保持し、取得した位置情報を前記場所名・位置範囲変換サーバーを介して変換させて特定の場所名を保持し、ＧＰＳ機能付き携帯電話機から特定の場所名を指定して混雑情報要求があると特定の場所名の位置範囲に存在する前記ＧＰＳ機能付き携帯電話機の対象数を算出し、特定の場所名と算出した対象数を基に、前記混雑度指標サーバーを介して、混雑度レベルの指標を取得し前記ＧＰＳ機能付き携帯電話機に提示するメインサーバーとを備えることを特徴とするサーバー。
【請求項１０】
ＧＰＳ機能を備えたＧＰＳ機能付き携帯電話機において、
音声発呼時、音声着呼時、メール送信時、メール受信時、インターネット接続時の上り信号に電話番号情報及び位置情報を付加し基地局を経由して、特定の場所の混雑レベル情報を形成するためのサーバーに送信する電話番号情報・位置情報付加部と、
前記サーバーに混雑レベル情報を要求する特定の場所名を入力する表示及び決定選択表示を行い、前記サーバーから前記基地局を経由して取得した特定の場所の混雑レベル情報を表示する表示部とを備えることを特徴とするＧＰＳ機能付き携帯電話機。
【請求項１１】
携帯電話機と無線回線で送受信を行う基地局において、
ＧＰＳ機能付き携帯電話機からの上り信号が音声発呼時、音声着呼時、メール送信時、メール受信時、インターネット接続時の上り信号であることを識別し電話番号情報及び位置情報を抽出する電話番号情報・位置情報抽出部と、
抽出した電話番号情報及び位置情報を特定の場所の混雑レベル情報、且つ、前記ＧＰＳ機能付き携帯電話機からの特定の場所の混雑レベル情報の要求を、特定の場所の混雑レベル情報を形成するためのサーバーに送信し、前記サーバーから特定の場所の混雑レベル情報を受信した前記ＧＰＳ機能付き携帯電話機に通知するための送受信部とを備えることを特徴とする基地局。
【請求項１２】
特定の場所の混み具合の情報を提供する特定場所混雑情報提供方法において、
ＧＰＳ機能付き携帯電話機の音声発呼時、音声着呼時、メール送信時、メール受信時、インターネット接続時の上り信号に電話番号情報及び位置情報を付加する工程と、
前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する工程と、
電話番号情報及び位置情報を抽出するのを監視し、抽出した電話番号情報及び位置情報を、抽出した日付時刻情報と共に取得し保持する工程と、
複数の特定の場所名に対して経度、緯度で示される位置範囲をそれぞれ保持し、取得した位置情報に属する位置範囲を特定の場所名に変換し、変換した特定の場所名を、抽出した電話番号情報及び位置情報、抽出した日付時刻情報と共に保持する工程と、
ＧＰＳ機能付き携帯電話機から特定の場所名を指定して混雑情報要求があると特定の場所名の位置範囲に存在するＧＰＳ機能付き携帯電話機の対象数を算出する工程と、
複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出し前記機能付き携帯電話機に提示する工程とを備えることを特徴とする特定場所混雑情報提供方法。
【請求項１３】
特定の場所の混み具合の情報を提供する特定場所混雑情報提供をコンピュータで実行するプログラムにおいて、
ＧＰＳ機能付き携帯電話機の音声発呼時、音声着呼時、メール送信時、メール受信時、インターネット接続時の上り信号に電話番号情報及び位置情報を付加する手順と、
前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する手順と、
複数の特定の場所名に対して経度、緯度で示される位置範囲をそれぞれ保持し、指定された位置情報に属する位置範囲を特定の場所名に変換する手順と、
複数の特定の場所名毎に収容人数を基に混雑度レベルの指標を保持し、要求のあった特定の場所名に対してＧＰＳ機能付き携帯電話機の数が示された場合、混雑度レベルの指標を算出する手順と、
電話番号情報及び位置情報を抽出するのを監視し、抽出した電話番号情報及び位置情報を、抽出した日付時刻情報と共に取得し保持し、取得した位置情報を変換させて特定の場所名を保持し、ＧＰＳ機能付き携帯電話機から特定の場所名を指定して混雑情報要求があると特定の場所名の位置範囲に存在するＧＰＳ機能付き携帯電話機の対象数を算出し、特定の場所名と算出した対象数を基に混雑度レベルの指標を取得し前記機能付き携帯電話機に提示する手順とを備えることを特徴とする、特定場所混雑情報提供をコンピュータで実行するプログラム。
【発明の詳細な説明】
【技術分野】
【０００１】
本発明は特定の場所の混み具合の情報を提供する特定場所混雑情報提供システムに関する。特に、本発明は、ＧＰＳ（全地球測位システム）機能付き携帯電話機で取得される位置情報を利用しテーマパーク、娯楽施設等の特定の場所の混み具合を監視する特定場所混雑情報提供システム、方法、サーバー及びコンピュータで実行するプログラムに関する。
【背景技術】
【０００２】
道路における交通渋滞情報は、テレビジョン、ラジオでの道路交通情報、道路上又は高速道路におけるゲート上での道路情報表示盤、道路交通情報センターへの電話問合せ、ＶＩＣＳ（道路交通情報通信システム）受信機能を有するカーナビゲーション等で知ることができる。
しかしながら、テーマパーク、娯楽施設等の特定の場所における混み具合を知る手段が、直接特定の場所に電話問い合わせをすることぐらいしかなく、手軽に且つリアルタイムに知る手段がないという問題がある。このような問題に関連して、以下のような従来技術が在る。
【０００３】
従来、遊園地、イベント会場、美術館などといった特定のエリア内で携帯通信端末装置に対して、エリア内の混雑状況に応じた種々な情報を提供するため、基地局装置を介して携帯端末装置から送信された位置情報に基づいて、管理サーバーが、エリア内における携帯端末装置の位置的な集中度を算出部で算出し、これに基づく混雑情報を基地局装置を介して当該エリア内の携帯端末装置へ無線配信し、携帯通信端末装置で受信した混雑情報を携帯者に画面に表示して提示する。更に、管理サーバーが、携帯端末装置からの要求に応じて、当該携帯端末装置の位置を基準としてエリア内の混雑個所を回避したルートを算出部で算出し、このルート情報を、基地局装置を介して、エリア内の携帯通信端末装置へ無線配信し、携帯端末装置が、受信したルート情報を画面表示する（例えば、特許文献１参照）。
【０００４】
しかしながら、上記特許文献１では、エリアをカバーする基地局装置を介して携帯端末装置から送信された位置情報に基づいて、エリア内における携帯端末装置の位置的な集中度を算出しているが、エリアをカバーする基地局装置が必要であり、手軽に混み具合を知ることができないという問題がある。
また、従来、個々の利用者に応じた的確な混雑情報を即時に正確に提供することを可能にする混雑情報配信システムを提供するため、複数の人に所有されるＧＰＳ携帯端末は、それぞれの加入者の存在位置を示す位置情報を取得し、携帯電話通信ネットワークを含む所定の通信回線を介して、管理センタに向けて位置情報を送信し、管理センタでは、通信回線を介して位置情報を受信し、端末加入者情報及び受信された位置情報をリンクさせたデータベースを作成し、保持しておき、そして、利用者からの所定の検索条件を伴う混雑情報要求に基づいて、データベースの中から検索条件に該当する特定の混雑情報を検索して利用者に配信するものがある（例えば、特許文献２参照）。
【０００５】
しかしながら、上記特許文献２では、ＧＰＳ携帯端末により存在位置を示す位置情報が取得され、通信回線を介して、管理センタに向けて、加入者による位置情報の送信が要求されるが、正確な混雑情報を得るために混雑情報を利用しない加入者にも位置情報の送信を要求し、加入者にとって煩雑であり、負担となり、手軽に混み具合を知ることができないという問題がある。
【０００６】
従来、ゾーンに変更追加が発生したとしても、設備の配置を不要とし、車両に限らずあらゆる場合に混雑状況を含む各種情報を得ることのできる移動体誘導システムを提供するため、ユーザーが利用し、自身の現在位置を測位検出可能な通信機能を有する移動体通信端末と、前記移動体通信端末より位置情報および端末情報を取得して前記移動体通信端末を管理する管理装置とを備えた移動体誘導システムであり、領域設定手段は、任意の形状大きさの少なくとも一つの特定領域を地理上に設定して監視可能なものであり、算出手段は、移動体通信端末の位置情報および端末情報を取得し、前記領域設定手段にて設定された特定領域内の前記移動体通信端末の数を算出し、判定手段は、前記移動体通信端末の数と、予め設定された特定の閾値とに基づいて、前記特定領域内の混雑状況を判定し、通知手段は、前記判定手段にて判定された前記混雑状況に基づいて、適切な情報を前記移動体通信端末又は特定の告知手段に対して通知するものがある（例えば、特許文献３参照）。
【０００７】
しかしながら、上記特許文献３では、移動体通信端末の位置情報および端末情報を取得し特定領域内の前記移動体通信端末の数を算出するが、移動体通信端末から管理装置への位置情報、端末装置の送信が必要であり、特定領域内で混雑度を算出するために、混雑度の通知を必要としないユーザーからも移動体通信端末の位置情報および端末情報を取得しなけらばならず、ユーザーにとって煩雑で負担となり、手軽に混み具合を知ることができないという問題がある。
【０００８】
【特許文献１】特開２００２−１８９８２７号公報
【特許文献２】特開２００４−８０４３９号公報
【特許文献３】特開２００３−２８８６６３号公報
【発明の開示】
【発明が解決しようとする課題】
【０００９】
したがって、本発明は上記問題点に鑑みて、混雑度情報を利用するユーザにとって煩雑でなく、負担とならずに、手軽でリアルタイムに特定の場所における混み具合を知ることが可能になる特定場所混雑情報提供システム、サーバー、ＧＰＳ機能付き携帯電話機、基地局、方法及びコンピュータで実行するプログラムを提供することを目的とする。
【課題を解決するための手段】
【００１０】
本発明は前記問題点を解決するために、特定の場所の混み具合の情報を提供する特定場所混雑情報提供システムにおいて、ＧＰＳ機能付き携帯電話機の音声発呼時、音声着呼時、メール送信時、メール受信時、インターネット接続時の上り信号に電話番号情報及び位置情報を付加する電話番号情報・位置情報付加部と、前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する電話番号情報・位置情報抽出部と、複数の特定の場所名に対して経度、緯度で示される位置範囲をそれぞれ保持し、指定された位置情報に属する位置範囲を特定の場所名に変換する場所名・位置範囲変換部と、複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出する混雑度指標算出部と、前記電話番号情報・位置情報抽出部が電話番号情報及び位置情報を抽出するのを監視し、抽出した電話番号情報及び位置情報を、抽出した日付時刻情報と共に取得し保持し、取得した位置情報を前記場所名・位置範囲変換部を介して変換させて特定の場所名を保持し、ＧＰＳ機能付き携帯電話機から特定の場所名を指定して混雑情報要求があると特定の場所名の位置範囲に存在するＧＰＳ機能付き携帯電話機の対象数を算出し、特定の場所名と算出した対象数を基に、前記混雑度指標算出部を介して、混雑度レベルの指標を取得し前記ＧＰＳ機能付き携帯電話機から提示する特定場所情報提供部とを備えることを特徴とする特定場所混雑情報提供システムを提供する。
【００１１】
さらに、前記電話番号情報・位置情報付加部は、前記ＧＰＳ機能付き携帯電話機がＰＤＣ方式である場合には音声発呼時にＳＥＴＵＰ信号、ＣＯＮＮＥＣＴＡＣＫ信号の上り信号に電話番号情報及び位置情報を付加し、音声着呼時にＡＬＥＲＴ信号、ＣＯＮＮＥＣＴ信号の上り信号に電話番号情報及び位置情報を付加し、メール送信時にメールヘッダの上り信号に電話番号情報及び位置情報を付加し、メール受信時にメール転送の要求信号の上り信号に電話番号情報及び位置情報を付加し、インターネット接続時にアクセスポイントの電話番号の信号の上り信号に電話番号情報及び位置情報を付加する。
【００１２】
さらに、前記特定場所提供部は、前記混雑度レベルの指標と共に、収容人数、ＧＰＳ機能付き携帯電話機の対象数を提示する。
さらに、前記特定場所情報提供部は、ＧＰＳ機能を備えない携帯電話機に対して、特定の場所を指定して混雑情報要求があった場合混雑情報レベルの提示を行う。
さらに、前記特定場所情報提供部は、特定の場所名を指定した混雑情報要求に対して対象数の算出を行う場合、取得した位置情報が特定の場所名の位置範囲に属するようになった場合には特定の場所名と共に、特定の場所名の位置範囲での最初の更新日付時刻情報を保持し、特定の場所に対して混雑情報要求があった日付時刻よりも一定時間前の最初の更新日付時刻が保持されている場合最初の更新日付時刻が混雑情報要求があった日付時刻よりも一定時間前である対象を外して特定の場所名の位置範囲に存在する対象数を算出する。
【００１３】
さらに、前記混雑度指標算出部は特定の場所名毎に入場者が平均的に滞在する平均時間を保持し、前記特定場所情報提供部は、特定の場所名を指定した混雑情報要求に対して対象数の算出を行う場合、前記混雑度指標算出部から滞在時間を取得し、前記一定時間前を取得した前記滞在時間前とする。
さらに、前記電話番号情報・位置情報付加部は、ＧＰＳ機能付き携帯電話機の音声発呼時、音声着呼時、メール送信時、メール受信時、インターネット接続時に加え、待ち受け時の位置登録時の上り信号に電話番号情報及び位置情報を付加し、
前記電話番号情報・位置情報抽出部は、前記携帯電話機と無線回線で接続した基地局で前記携帯電話機からの上り信号が音声発呼時、音声着呼時、メール送信時、メール受信時、インターネット接続時に加え、待ち受け時の位置登録時の上り信号を識別し抽出する。
さらに、前記特定場所情報提供部は、混雑度レベルの指標を前記ＧＰＳ機能付き携帯電話機に提示する際に課金を行う。
【００１４】
さらに、本発明は、特定の場所の混み具合の情報を提供するサーバーにおいて、複数の特定の場所名に対して経度、緯度で示される位置範囲をそれぞれ保持し、指定された位置情報に属する位置範囲を特定の場所名に変換する場所名・位置範囲変換サーバーと、複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出する混雑度指標サーバーと、前記ＧＰＳ機能付き携帯電話機の音声発呼時、音声着呼時、メール送信時、メール受信時、インターネット接続時の上り信号に電話番号情報及び位置情報が付加され、前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることが識別され電話番号情報及び位置情報が抽出されるのを監視し、抽出した電話番号情報及び位置情報を、抽出した日付時刻情報と共に取得し保持し、取得した位置情報を前記場所名・位置範囲変換サーバーを介して変換させて特定の場所名を保持し、ＧＰＳ機能付き携帯電話機から特定の場所名を指定して混雑情報要求があると特定の場所名の位置範囲に存在する前記ＧＰＳ機能付き携帯電話機の対象数を算出し、特定の場所名と算出した対象数を基に、前記混雑度指標サーバーを介して、混雑度レベルの指標を取得し前記ＧＰＳ機能付き携帯電話機から提示するメインサーバーとを備えることを特徴とするサーバーを提供する。
【００１５】
さらに、本発明は、ＧＰＳ機能を備えたＧＰＳ機能付き携帯電話機において、音声発呼時、音声着呼時、メール送信時、メール受信時、インターネット接続時の上り信号に電話番号情報及び位置情報を付加し基地局を経由して、特定の場所の混雑レベル情報を形成するためのサーバーに送信する電話番号情報・位置情報付加部と、前記サーバーに混雑レベル情報を要求する特定の場所名を入力する表示及び決定選択表示を行い、前記サーバーから前記基地局を経由して取得した特定の場所の混雑レベル情報を表示する表示部とを備えることを特徴とするＧＰＳ機能付き携帯電話機を提供する。
【００１６】
さらに、本発明は、携帯電話機と無線回線で送受信を行う基地局において、ＧＰＳ機能付き携帯電話機からの上り信号が音声発呼時、音声着呼時、メール送信時、メール受信時、インターネット接続時の上り信号であることを識別し電話番号情報及び位置情報を抽出する電話番号情報・位置情報抽出部と、抽出した電話番号情報及び位置情報を特定の場所の混雑レベル情報、且つ、前記ＧＰＳ機能付き携帯電話機からの特定の場所の混雑レベル情報の要求を、特定の場所の混雑レベル情報を形成するためのサーバーに送信し、前記サーバーから特定の場所の混雑レベル情報を受信した前記ＧＰＳ機能付き携帯電話機に通知するための送受信部とを備えることを特徴とする基地局を提供する。
【００１７】
さらに、本発明は、特定の場所の混み具合の情報を提供する特定場所混雑情報提供方法において、ＧＰＳ機能付き携帯電話機の音声発呼時、音声着呼時、メール送信時、メール受信時、インターネット接続時の上り信号に電話番号情報及び位置情報を付加する工程と、前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する工程と、電話番号情報及び位置情報を抽出するのを監視し、抽出した電話番号情報及び位置情報を、抽出した日付時刻情報と共に取得し保持する工程と、複数の特定の場所名に対して経度、緯度で示される位置範囲をそれぞれ保持し、取得した位置情報に属する位置範囲を特定の場所名に変換し、変換した特定の場所名を、抽出した電話番号情報及び位置情報、抽出した日付時刻情報と共に保持する工程と、ＧＰＳ機能付き携帯電話機から特定の場所名を指定して混雑情報要求があると特定の場所名の位置範囲に存在するＧＰＳ機能付き携帯電話機の対象数を算出する工程と、複数の特定の場所名毎に収容人数を基に混雑度レベルの指標を保持し、混雑情報要求のあった特定の場所名に対してＧＰＳ機能付き携帯電話機の対象数が示された場合、混雑度レベルの指標を算出し前記ＧＰＳ機能付き携帯電話機に提示する工程とを備えることを特徴とする特定場所混雑情報提供方法を提供する。
【００１８】
さらに、本発明は、特定の場所の混み具合の情報を提供する特定場所混雑情報提供をコンピュータで実行するプログラムにおいて、ＧＰＳ機能付き携帯電話機の音声発呼時、音声着呼時、メール送信時、メール受信時、インターネット接続時の上り信号に電話番号情報及び位置情報を付加する手順と、前記ＧＰＳ機能付き携帯電話機と無線回線で接続した基地局で前記ＧＰＳ機能付き携帯電話機からの上り信号が音声発呼時、音声着呼時、メール送信時、メール受信時、インターネット接続時の上り信号であることを識別し電話番号情報及び位置情報を抽出する手順と、複数の特定の場所名に対して経度、緯度で示される位置範囲をそれぞれ保持し、指定された位置情報に属する位置範囲を特定の場所名に変換する手順と、複数の特定の場所名毎に収容人数を基に混雑度レベルの指標を保持し、要求のあった特定の場所名に対してＧＰＳ機能付き携帯電話機の数が示された場合、混雑度レベルの指標を算出する手順と、電話番号情報及び位置情報を抽出するのを監視し、抽出した電話番号情報及び位置情報を、抽出した日付時刻情報と共に取得し保持し、取得した位置情報を変換させて特定の場所名を保持し、ＧＰＳ機能付き携帯電話機から特定の場所名を指定して混雑情報要求があると特定の場所名の位置範囲に存在するＧＰＳ機能付き携帯電話機の対象数を算出し、特定の場所名と算出した対象数を基に混雑度レベルの指標を取得し前記ＧＰＳ機能付き携帯電話機に提示する手順とを備えることを特徴とする、特定場所混雑情報提供をコンピュータで実行するプログラムを提供する。
【発明の効果】
【００１９】
以上説明したように、本発明によれば、複数のＧＰＳ機能付き携帯電話機は自局の電話番号情報及びＧＰＳ衛星を利用して取得された位置情報を、音声発呼時、音声着呼時、メール送信時、メール受信時、インターネット接続時に基地局を介してメインサーバーに送信し、サーバーではＧＰＳ機能付き携帯電話機の位置を把握し任意の特定場所の位置範囲内に存在するＧＰＳ機能付き携帯電話機の数を監視し、特定の場所の混み具合を知りたいユーザが携帯電話機からサーバーに対して対象とする特定の場所を指定することで、必要な特定の場所の混み具合情報を知ることが可能となる。
【００２０】
ＧＰＳ機能付き携帯電話機がかなり普及しており、新規設備導入することなく、本発明の構築を容易に実現することが可能である。
特に、電話番号情報及び位置情報をＧＰＳ機能付き携帯電話機から送信するタイミングが音声発呼、着呼、メール受信、送信、インターネット接続時とすることで新たな通信手段を必要とせず、十分な情報量を得ることが可能である。
【発明を実施するための最良の形態】
【００２１】
以下、本発明の実施の形態について図面を参照して説明する。
図１は本発明に係るＧＰＳ（全地球測位システム）機能付き携帯電話機及びサーバーで構成される概略ネットワークを示す図である。
本図に示すように、複数の基地局１０１の各々エリア２００には複数の携帯電話機１０２が在り、携帯電話機１０２の各々は通話機能、通信機能を有し、基地局１０１と無線回線で接続される。
【００２２】
複数の基地局１０１の各々には後述する電話番号情報・位置情報抽出部１０１Ａ、送受信部１０１Ｂが設けられる。
さらに、複数の携帯電話機１０２の各々は、ＧＰＳ機能を有し、人工衛星である複数のＧＰＳ衛星１０３に衛星回線で接続され、ＧＰＳ衛星１０３からの電波を基にして携帯電話機１０１の位置情報を緯度、経度として提供される。
【００２３】
複数の携帯電話機１０２の各々には電話番号情報・位置情報付加部１０２Ａが設けられ、電話番号情報・位置情報付加部１０２Ａは、音声着信時、音声発信時、メール受信時、メール送信時、インターネット接続時に、電話番号情報と、ＧＰＳ衛星１０３から受信した位置情報を基地局１０１への上りデータ中に付加して送信するのに使用される。
前述の基地局１０１の電話番号情報・位置情報抽出部１０１Ａは、携帯電話機１０２から受信した音声着信時、音声発信時、メール受信時、メール送信時、インターネット接続時の上り信号であることを識別し、いずれか１つの上り信号に該当する場合には、受信した上り信号から電話番号情報・位置情報付加部１０２Ａにより付加された電話番号情報及び位置情報を抽出する。
【００２４】
複数の基地局１０１には、それぞれ送受信部１０１Ｂを経由して、メインサーバー１０４が接続され、メインサーバー１０４は、ＧＰＳ機能付き携帯電話機１０２からの電話番号情報及び位置情報、混雑情報要求を受信し情報に応じた制御を以下のように実行する。
メインサーバー１０４には電話番号情報・位置情報監視部１０４Ａが設けられ、電話番号情報・位置情報監視部１０４Ａは基地局１０１の電話番号情報・位置情報抽出部１０１Ａが携帯電話機１０２から受信した電話番号情報及び位置情報を抽出するのを監視し、抽出した電話番号情報及び位置情報を、抽出した日付時刻情報と共に取得する。
【００２５】
さらに、メインサーバー１０４にはデータベース１０４Ｄが設けられ、データベース１０４Ｄは電話番号情報・位置情報監視部１０４Ａが電話番号情報・位置情報抽出部１０１Ａから取得したＧＰＳ機能付きの携帯電話機１０２の電話番号情報及び位置情報と共に、抽出した日付時刻情報を最新の日付時刻として保持し、さらに、ＧＰＳ機能付き携帯電話機１０２の位置情報を後述する場所名・位置範囲変換サーバー１０５に指定して、指定した位置情報が属する位置範囲に対する特定の場所を保持し、特定の場所における音声着信時、音声発信時、メール受信時、メール送信時、インターネット接続時の最初の更新日付時刻情報を保持する。
【００２６】
さらに、メインサーバー１０４には混雑度情報提供部１０４Ｂが設けられ、混雑度情報提供部１０４ＢはＵＲＬ（Ｕｎｉｆｏｒｍ  Ｒｅｓｏｕｒｃｅ  Ｌｏｃａｔｏｒ）アドレスを有し、インターネット接続が可能である各ＧＰＳ機能付きの携帯電話機１０２、ＧＰＳ機能を備えていない携帯電話機からメインサーバー１０４にアクセスされ、混雑情報要求が行われると、この要求を受け付け、混雑情報の提供を行う。
【００２７】
この場合、ＧＰＳ機能付きの携帯電話機１０２、ＧＰＳ機能を備えていない携帯電話機がメインサーバー１０４のアクセス先を知っていることが前提となるが、Ｗｅｂサイトを検索することによりメインサーバー１０４のアクセス先を知ることが可能である。
さらに、メインサーバー１０４には対象数算出部１０４Ｃが設けられ、対象数算出部１０４Ｃは、混雑度情報提供部１０４Ｂに対して特定の場所名を指定して混雑情報要求があると、データベース１０４Ｄから特定の場所の位置範囲に存在するＧＰＳ機能付き携帯電話機の対象数を集計し入場数を算出し、メインサーバー１０４は算出した対象数である入場数を基に後述する混雑度指標サーバー１０６から混雑度レベルを取得する。
【００２８】
メインサーバー１０４には場所名・位置範囲変換サーバー１０５が接続され、場所名・位置範囲変換サーバー１０５はデータベース１０５Ａを有し、データベース１０５Ａは複数の特定の場所名に対して経度、緯度で示される位置範囲をそれぞれ保持し、メインサーバー１０４から位置情報を指定されるとデータベース１０５Ａで指定された位置情報が属する位置範囲を特定の場所名に変換され、変換された特定の場所名をメインサーバー１０４に提供する。
【００２９】
メインサーバー１０４には混雑度指標サーバー１０６が接続され、混雑度指標サーバー１０６はデータベース１０６Ａを有し、データベース１０６Ａは複数の特定の場所名の収容人数を基に混雑度レベルの指標をそれぞれ保持し、メインサーバー１０４から特定の場所名の位置範囲に存在するＧＰＳ機能付きの携帯電話機１０２の対象数が示されると、この対象数を基に指定された特定の場所名の混雑度レベルを算出し、算出した混雑レベルをメインサーバー１０４に提供する。
【００３０】
なお、メインサーバー１０４、場所名・位置範囲変換サーバー１０５、混雑度指標サーバー１０６はコンピュータで実行されるプログラムで形成される。
図２は図１におけるメインサーバー１０４のデータベース１０４Ｄに保持されるデータを説明する図である。
本図に示すように、データベース１０４Ｄには受信した携帯電話機の電話番号毎に位置情報、最新の更新日付時刻情報、特定の場所の位置範囲での最初の更新日付時刻情報が保持される。
【００３１】
一例として、電話番号「０９０１１１１１１１１」、位置情報「１３９．５２３Ｅ（東経）、３５．３７６Ｎ（北緯）」、最新の更新日付時刻情報「２００４．０５．１０  １１：４５」のデータが保持される。
さらに、特定の場所の位置範囲での最初の更新日付時刻情報「２００４．０５．１０  １１：３０」のデータが保持される。
【００３２】
さらに、場所名・位置範囲変換サーバー１０５から取得した特定の場所名「東京ディズニーランド」のデータが保持され、特定の場所の位置範囲での最初の更新日付時刻情報「２００４．０５．１０．１１：３０」のデータが保持される。
データベース１０４Ｄにデータを保持する際には、電話番号を検索し同じ電話番号の情報が存在する場合には位置情報が今回取得した情報に更新される。
【００３３】
今回取得した位置情報が特定の場所名の位置範囲に属するようになった場合には特定の場所名、特定の場所名の位置範囲での最初の更新日付時刻情報が保持され、一方、今回取得した位置情報が特定の場所名の位置範囲に属しなくなった場合には保持している特定の場所、最初の更新日付時刻情報が削除される。
さらに、電話番号の検索で同じ電話番号が存在しない場合新規に位置情報、最新の更新時刻情報が追加され保持される。この場合新規に取得した位置情報が特定の場所名の位置範囲に属する場合には特定の場所名が追加され保持されるが、特定の場所名の位置範囲での最初の更新日付時刻情報には何も情報が無いことになる。
【００３４】
図３はメインサーバー１０４の混雑度情報提供部１０４Ｂの動作例を説明する図である。本図（ａ）に示すように、ＧＰＳ機能付き携帯電話機１０２、ＧＰＳ機能を備えない携帯電話機からメインサーバー１０４にアクセスすると、混雑度情報提供部１０４ＢはＧＰＳ機能付き携帯電話機１０２、ＧＰＳ機能を備えない携帯電話機にページ情報を取得させ表示させ、取得させたページ情報の中に、混雑レベル情報を要求する特定の場所名を入力する表示及び決定選択表示を表示部（図示しない）に行う。
【００３５】
ユーザは混雑状況を知りたい特定の場所名を入力し、決定選択することで入力した特定の場所名情報が無線回線でＧＰＳ機能付き携帯電話機１０２、ＧＰＳ機能を備えない携帯電話機から基地局１０１を介してメインサーバー１０４の混雑度情報提供部１０４Ｂに送信される。
本図(ｂ)に示すように、混雑度情報提供部１０４Ｂは混雑レベル情報を、要求があったＧＰＳ機能付き携帯電話機１０２、ＧＰＳ機能を備えない携帯電話機に送信し、ＧＰＳ機能付き携帯電話機１０２、ＧＰＳ機能を備えない携帯電話機の表示上に混雑レベルを表示部（図示しない）に表示させ、ユーザが混雑状況を確認することを可能にする。
【００３６】
図４は図１における場所名・位置範囲変換サーバー１０５のデータベース１０５Ａに保持される、特定の場所名に対する位置範囲のデータを説明する図である。
本図（ａ）、（ｂ）に示すように、データベース１０５Ａには特定の場所名毎の位置範囲情報が保持され、一例として、位置情報が属する位置（東経、北緯）「（１３９．５２３°Ｅ、３５．３７６°Ｎ）、（１３９．５２３°Ｅ、３５．３７５°Ｎ）、（１３９．５２５°Ｅ、３５．３７６°Ｎ）、（１３９．５２５°Ｅ、３５．３７５°Ｎ）」で囲まれる位置範囲が特定の場所名「東京ディズニーランド」に変換される。なお、データベース１０５Ａは随時情報の修正、追加、削除が可能である。
【００３７】
図５は図１における混雑度指標サーバー１０６のデータベース１０６Ａに保持されるデータを説明する図である。
本図に示すように、データベース１０６Ａには特定の場所名毎の収容人数情報、収容人数に対してＧＰＳ機能付きの携帯電話機１０２が存在する対象数である入場者数に応じた混雑度レベルが保持される。混雑度レベルの表記としては、例えば、「大」、「中」、「小」の３つの混雑度レベルの指標としてもよい。また、もっと細かなレベルとしてもよい。
【００３８】
一例として、特定の場所名「東京ディズニーランド」、収容人数「５万人」、ＧＰＳ機能付きの携帯電話機１０２が存在する対象数である入場者数が１万人未満であれば混雑度レベルを「小」、この対象数である入場者数が１万人以上３万人以上であれば混雑度レベルを「中」、この対象数である入場者数が３万人以上であれば混雑度レベルを「大」とするような情報が保持される。
【００３９】
さらに、データベース１０６Ａには特定の場所名毎に入場者が平均的に滞在する平均時間が保持される。
なお、データベース１０６Ａは随時情報の修正、追加、削除が可能である。
図６は図１におけるＧＰＳ機能付きの携帯電話機１０２の電話番号情報・位置情報付加部１０２Ａの動作を説明するフローチャートである。
【００４０】
本図に示すように、ステップ２０１において、電話番号情報・位置情報付加部１０２Ａは、携帯電話機１０２に音声着信が有るか否かを判断し、音声着信が無い場合にはステップ２０３に進む。
ステップ２０２において、音声着信が有る場合には、電話番号情報・位置情報付加部１０２Ａは音声着信動作実行時に基地局１０１への上りデータの中に電話番号情報及び位置情報を付加し処理を終了する。
【００４１】
上記付加では、例えば、ＰＤＣ（Ｐｅｒｓｏｎａｌ  Ｄｉｇｉｔａｌ  Ｃｅｌｌｕｌａｒ）での通信ネットワークシステムで言えば、着信動作時の上り信号であり、呼出メッセージであるＡＬＥＲＴ信号、応答メッセージであるＣＯＮＮＥＣＴ信号に付加することで、基地局１０１へ情報送信が可能になる。
ステップ２０３において、電話番号情報・位置情報付加部１０２Ａは、携帯電話機１０２に音声発信が有るか否かを判断し、音声発信が無い場合にはステップ２０５に進む。
【００４２】
ステップ２０４において、音声発信が有る場合には、電話番号情報・位置情報付加部１０２Ａは音声発信動作実行時に基地局１０１への上りデータの中に電話番号情報及び位置情報を付加し処理を終了する。
上記付加では、例えば、ＰＤＣでの通信ネットワークシステムで言えば、発信動作時の上り信号であり、呼設定メッセージであるＳＥＴＵＰ信号、応答確認メッセージであるＣＯＮＮＥＣＴＡＣＫ信号に付加することで、基地局１０１へ情報送信が可能になる。
【００４３】
ステップ２０５において、電話番号情報・位置情報付加部１０２Ａは、携帯電話機１０２にメール受信が有るか否かを判断し、メール受信が無い場合にはステップ２０７に進む。
ステップ２０６において、メール受信が有る場合には、電話番号情報・位置情報付加部１０２Ａはメール受信動作実行時に基地局１０１への上りデータの中に電話番号情報及び位置情報を付加し処理を終了する。
【００４４】
上記付加では、例えば、ＳＭＴＰサーバーのスプールに保存されているメール転送の要求信号に付加することで、基地局１０１へ情報送信が可能になる。
ステップ２０７において、電話番号情報・位置情報付加部１０２Ａは、携帯電話機１０２にメール発信が有るか否かを判断し、メール発信が無い場合にはステップ２０９に進む。
【００４５】
ステップ２０８において、メール発信が有る場合には、電話番号情報・位置情報付加部１０２Ａはメール発信動作実行時に基地局１０１への上りデータの中に電話番号情報及び位置情報を付加し処理を終了する。
上記付加では、例えば、メールヘッダに付加することで、基地局１０１へ情報送信が可能になる。
【００４６】
ステップ２０９において、電話番号情報・位置情報付加部１０２Ａは、携帯電話機１０２にインターネット接続が有るか否かを判断し、インターネット接続が無い場合には処理を終了する。
ステップ２１０において、インターネット接続が有る場合には、電話番号情報・位置情報付加部１０２Ａはインターネット接続動作実行時に基地局１０１への上りデータの中に電話番号情報及び位置情報を付加し処理を終了する。
【００４７】
上記付加では、例えば、アクセスポイントの電話番号の信号に付加することで、基地局１０１へ情報送信が可能になる。
この場合、ＧＰＳ機能付き携帯電話機１０２からの自局電話番号情報及び緯度経度情報からなる位置情報の送信は、ユーザの混雑情報提供を希望する又は希望しないに拘わらず、既存の通信ネットワークシステムとして通常動作として送信される情報とする。
【００４８】
このようにして、ＧＰＳ機能付きの携帯電話機１０２が電話番号情報及び位置情報を送信するタイミングは、音声発呼時、音声着呼時、メール受信時、メール送信時、インターネット接続時とすることにより、既存の通信ネットワークシステムに対して新たな通信手段を必要とせず、つまり、新たに電話番号情報及び位置情報のみを定期的に送信する通信手段などを準備する必要が無くなり、既存の通信ネットワークシステムを使用することが可能になる。
【００４９】
さらに、電話番号情報・位置情報付加部１０２Ａを設けることにより、音声発呼、音声着呼、メール受信、メール発信、インターネット接続動作は、一般ユーザの使用状況から見ても、かなりのアクセス頻度があることが想定できるので、十分な情報量を得ることが可能である。
図７は図１におけるメインサーバー１０４、場所名・位置範囲変換サーバー１０５、混雑度指標サーバー１０６の一連の動作を説明するフローチャートである。
【００５０】
本図に示すように、ステップ２１１において、メインサーバー１０４の電話番号情報・位置情報監視部１０４Ａは基地局１０１の電話番号情報・位置情報抽出部１０１Ａを監視し基地局１０１がＧＰＳ機能付き携帯電話機１０２から電話番号情報及び位置情報を受信し電話番号情報・位置情報抽出部１０１Ａにより抽出したか否かを監視し、電話番号情報及び位置情報を取得しない場合ステップ２１６に進む。
【００５１】
ステップ２１２において、データベース１０４Ｄでは、取得した電話番号情報及び位置情報、取得した日付時刻情報を保持する。
ステップ２１３において、メインサーバー１０４から場所名・位置範囲変換サーバー１０５に位置情報を指定する。
ステップ２１４において、場所名・位置範囲変換サーバー１０５では、データベース１０５Ａを介して、指定された位置情報に属する位置範囲を特定の場所名に変換する。
【００５２】
ステップ２１５において、データベース１０４Ｄでは、場所名・位置範囲変換サーバー１０５から取得した場所名を保持し、処理を終了する。
ステップ２１６において、混雑度情報提供部１０４Ｂではメインサーバー１０４に対して特定の場所名の混雑情報要求が有るか否かを判断する。混雑状況を知りたいユーザによりＵＲＬアドレスを介してＧＰＳ機能付き携帯電話機１０２を使用してメインサーバー１０４にアクセスし、図３に示すように、取得したページ情報から特定の場所名を指定して混雑情報要求が行われる。混雑情報要求が行われない場合には処理を終了する。前述のように、ＧＰＳ機能を備えていない携帯電話機でも既存の通信ネットワークシステムにてインターネット接続可能な携帯電話機であれば使用可能である。
【００５３】
ステップ２１７において、対象数算出部１０４Ｃでは、データベース１０４Ｄを介して特定の場所の位置範囲内に存在する対象数が算出される。
ステップ２１８において、メインサーバー１０４から混雑度指標サーバー１０６へ特定の場所名と算出した対象数を渡す。
ステップ２１９において、混雑度指標サーバー１０６では、データベース１０６Ａを介して特定の場所と特定の場所の対象数を基に特定の場所の混雑度レベルが求められる。
【００５４】
ステップ２２０において、混雑度情報提供部１０４Ｂでは、混雑度指標サーバー１０６から取得した混雑度レベルを要求したユーザに通知する。ユーザのＧＰＳ機能付き携帯電話機１０２には取得したページ情報中に混雑度レベルが表示され、処理を終了する。
上記通知では、メインサーバー１０４は混雑度レベル情報以外に収容人数、又は、おおよその入場者数情報として算出したＧＰＳ機能付き携帯電話機１０２の対象数である人数情報を通知することが可能である。
【００５５】
このように、メインサーバー１０４で管理する混雑度レベルの情報は、ＧＰＳ機能付き携帯電話機１０２から自局の電話番号情報及び緯度経度情報からなる位置情報を基にデータベース化しているが、この情報は前述のように、ＧＰＳ機能付き携帯電話機１０２が音声発呼時、着信時、メール受信時、メール送信時、インターネット接続時のタイミングで送信される情報とするので、ユーザから見た時に特別の課金が発生するものではない。
【００５６】
一方、メインサーバー１０４、場所名・位置範囲変換サーバー１０５、混雑度指標サーバー１０６を構成する本発明の特定場所混雑情報提供システムにおけるビジネスモデルでは、ユーザに混雑情報を提供する代償として、会員登録制での月額一定料金徴収、又は混雑情報取得時に発生する接続料金（送受信した情報量〔パケット）に対しての課金料金）を課すことにより利益を生むことになる。
【００５７】
以上説明したように、本発明によれば、ＧＰＳ機能付き携帯電話機が電話番号情報及び位置情報を音声発呼、音声着呼、メール受信時、メール送信時、インターネット接続時に送信するようにしたので、既存の通信ネットワークシステムを使用し、ユーザに負担をかけず、メインサーバーは電話番号情報及び位置情報を把握でき、任意の特定の場所名の位置範囲内に存在するＧＰＳ機能付き携帯電話機を監視することが可能になった。特定の場所名の混み具合を知りたいユーザは携帯電話機からメインサーバーに対して対象の特定の場所名を指定することで、必要な特定の場所名の混み具合情報を手軽に知ることが可能になる。また、ＧＰＳ機能付き携帯電話機がかなり普及しており、新規設備導入することなく、本発明のシステム構築は容易に行うことが可能になる。また、混雑情報は、ＧＰＳ機能付き携帯電話機のみではなく、インターネット接続ができる携帯電話機であればＧＰＳ機能を備えていなくても混雑情報を利用でき、利用範囲が拡大する。
【００５８】
データベース１０４Ｄ、データベース１０５Ａ、データベース１０６Ａをそれぞれ別のサーバーにて管理することで情報の更新がし易くなる。
さらに、サーバーを複数用意することで処理能力を上げることが可能になる。
【実施例１】
【００５９】
図８は図７の動作の変形例でメインサーバー１０４、場所名・位置範囲変換サーバー１０５、混雑度指標サーバー１０６の一連の動作を説明するフローチャートである。
本図に示すように、図７と比較して、ステップ２２７、ステップ２２８、ステップ２２９が追加される。
ステップ２２７において、メインサーバー１０４では、データベース１０４Ｄに、特定の場所に対して混雑情報要求があった日付時刻よりも一定時間前の最初の更新日付時刻が保持されているか否かの判断を行う。保持されていない場合にはステップ２２９に進む。
【００６０】
ステップ２２８において、保持されている場合には、対象数算出部１０４Ｃでは、データベース１０４Ｄを介して、最初の更新日付時刻が混雑情報要求があった日付時刻よりも一定時間前である対象を外して特定の場所名の位置範囲に存在する対象数が算出され、ステップ２３０に進む。
ステップ２２９において、対象数算出部１０４Ｃでは、データベース１０４Ｄを介して特定の場所の位置範囲内に存在する対象数が算出され、ステップ２３０に進む。
【００６１】
ここでの「一定時間前」の情報は、メインサーバー１０４にて持っている情報で随時情報の修正が可能である。「一定時間前」としては、特定の場所名での滞在時間が用いられ、例えば、図５に示すように、特定の場所名が「東京ディズニーランド」である場合には、「一定時間前」は「５時間前」を意味する。
このように、メインサーバー１０４に混雑情報要求があった場合に、混雑情報要求があった日付時刻と最新の更新日付時刻を比較し、古くなった電話番号情報及び位置情報を外して対象数算出部１０４Ｃでは算出するチェックを追加したので、より精度の高い混雑度レベルを確保することが可能になる。
【実施例２】
【００６２】
図９は図６の変形例であり、ＧＰＳ機能付きの携帯電話機１０２の電話番号情報・位置情報付加部１０２Ａの動作で待ち受け時に位置登録があった場合の追加動作を説明するフローチャートである。
本図に示すように、図６と比較して、ステップ２３９でインターネット接続が無い場合、ステップ２４１において、待ち受け時の位置登録が有るか否かを判断する。位置登録が無い場合には処理を終了する。
【００６３】
ステップ２４２において、位置登録がある場合には、電話番号情報・位置情報付加部１０２Ａは位置登録動作実行時に基地局１０１への上りデータの中に電話番号情報及び位置情報を付加し処理を終了する。
上記付加では、例えば、位置登録要求信号に付加することで、基地局１０１へ情報送信が可能になる。
【００６４】
ＧＰＳ機能付き携帯電話機１０２は待ち受け時に登録エリアを移動する毎にネットワークに位置を登録する必要があるが、このように、待ち受け時にネットワークへの位置の登録時に電話番号情報及びＧＰＳからの位置情報を付加するようにしてもよい。待ち受け時に特定の場所名の位置範囲内でネットワークに位置登録が行われると、メインサーバー１０４のデータベース１０４Ｄに電話番号、ＧＰＳからの位置情報、更新日付時刻情報が保持される。ＧＰＳ機能付き携帯電話機１０２が特定の場所名の位置範囲で音声発呼、音声着呼、メール受信、メール送信、インターネット接続のいずれも無い場合ネットワークへの位置登録時にデータベース１０４Ｄへの電話番号情報及びＧＰＳからの位置情報を保持することが可能になる。このため、より精度の高い混雑度レベルを確保することが可能になる。
【図面の簡単な説明】
【００６５】
【図１】発明に係るＧＰＳ（全地球測位システム）機能付き携帯電話機及びサーバーで構成される概略ネットワークを示す図である。
【図２】図１におけるメインサーバー１０４のデータベース１０４Ｄに保持されるデータを説明する図である。
【図３】メインサーバー１０４の混雑度情報提供部１０４Ｂの動作例を説明する図である。
【図４】図１における場所名・位置範囲変換サーバー１０５のデータベース１０５Ａに保持される、特定の場所名に対する位置範囲のデータを説明する図である。
【図５】図１における混雑度指標サーバー１０６のデータベース１０６Ａに保持されるデータを説明する図である。
【図６】図１におけるＧＰＳ機能付きの携帯電話機１０２の電話番号情報・位置情報付加部１０２Ａの動作を説明するフローチャートである。
【図７】図１におけるメインサーバー１０４、電話番号情報・位置情報監視部１０４Ａ、場所名・位置範囲変換サーバー１０５、混雑度指標サーバー１０６の一連の動作を説明するフローチャートである。
【図８】図７の動作の変形例でメインサーバー１０４、場所名・位置範囲変換サーバー１０５、混雑度指標サーバー１０６の一連の動作を説明するフローチャートである。
【図９】図６の変形例であり、ＧＰＳ機能付きの携帯電話機１０２の電話番号情報・位置情報付加部１０２Ａの動作で待ち受け時に位置登録があった場合の追加動作を説明するフローチャートである。
【符号の説明】
【００６６】
１０１…基地局
１０１Ａ…電話番号情報・位置情報抽出部
１０１Ｂ…送受信部
１０２…携帯電話機
１０２Ａ…電話番号情報・位置情報付加部
１０３…ＧＰＳ衛星
１０４…メインサーバー
１０４Ａ…電話番号情報・位置情報監視部
１０４Ｂ…混雑情報提供部
１０４Ｃ…対象数算出部
１０４Ｄ…データベース
１０５…場所名・位置範囲変換サーバー
１０５Ａ…データベース
１０６…混雑度指標サーバー
１０６Ａ…データベース
２００…エリア
【図１】
2006157502.tif 000003
【図２】
2006157502.tif 000004
【図３】
2006157502.tif 000005
【図４】
2006157502.tif 000006
【図５】
2006157502.tif 000007
【図６】
2006157502.tif 000008
【図７】
2006157502.tif 000009
【図８】
2006157502.tif 000010
【図９】
2006157502.tif 000011